(57)【要約】【課題】簡単な構造で、ＬＥＤを発光させながら水に多数個浮かべて流すことにより新たな水面のイルミネーションとして再利用可能なＬＥＤ発光体およびその照明方法を提供する。【解決手段】ＬＥＤ発光体１は、透光性のある中空体７内の下部にＬＥＤ２およびＬＥＤ２を発光させる電気回路部３を収納し、水Ｗに浮いて波に傾けられても揺動しながら起立状態に復帰する起き上がりこぼし型で、防水構造を有する。ＬＥＤ２を発光させるとき、水Ｗに浮いて波間に光が揺動する水面のイルミネーションとなる。【選択図】図１
2011086614.tif 000002
【特許請求の範囲】
【請求項１】
透光性のある中空体内の下部にＬＥＤおよびＬＥＤを発光させる電気回路部を収納したＬＥＤ発光体であって、
水に浮いて波に傾けられても揺動しながら起立状態に復帰する起き上がりこぼし型で、防水構造を有し、
前記ＬＥＤを発光させるとき、水に浮いて波間に光が揺動する水面のイルミネーションとなる、ＬＥＤ発光体。
【請求項２】
請求項１において、
前記中空体は上半体と下半体を嵌め込んで球状の形状を有しており、該上半体に単一の微小孔が設けられている、ＬＥＤ発光体。
【請求項３】
請求項１において、
前記電気回路部は、ＬＥＤに電源を供給する電池と、ＬＥＤと電池間にスイッチ部とを有し、スイッチ部の一方の端子と他方の端子とをそれぞれ中空体の底部外方に露出させ、両端子と水との接触により通電されて、ＬＥＤを発光させる、ＬＥＤ発光体。
【請求項４】
請求項１において、
前記電気回路部は、ＬＥＤに電源を供給する電池と、ＬＥＤと電池間にスイッチ部と、前記中空体の下部外面に設けられて周囲の明るさを検出するセンサとを有して、前記センサが周囲の暗さを検出したとき、前記スイッチ部の両端子が通電されて、ＬＥＤを発光させる、ＬＥＤ発光体。
【請求項５】
請求項１において、
前記中空体の下部外面に配置させた太陽電池を有して、前記電気回路部は、前記太陽電池から供給された電源によりＬＥＤを発光させる、ＬＥＤ発光体。
【請求項６】
請求項１から５のいずれか１項のＬＥＤ発光体を河川に多数個浮かべて流すことにより、河川の流れにのって多数のＬＥＤが発光して波間に光が揺動し、水面における天の川のイルミネーションを形成する、ＬＥＤ発光体の照明方法。
【請求項７】
請求項６において、前記多数のＬＥＤ発光体とともに、メッセージがそれぞれ記載された複数の表示物を有し、当該多数のＬＥＤ２の発光による反射またはそれ自身の発光によって光る浮遊体を河川に浮かべて流す、ＬＥＤ発光体の照明方法。
【発明の詳細な説明】
【技術分野】
【０００１】
本発明は、ＬＥＤを発光させながら水に多数個浮かべて流すことにより水面のイルミネーションとなる、ＬＥＤ発光体およびその照明方法に関する。
【背景技術】
【０００２】
従来から、各地で夏の風物詩として、多数の灯籠を河川に浮かべて流す灯籠流しが行われている。ところで、近年では、海や河川の汚染が環境上の問題となっており、灯籠をそのまま海に流すことは少なくなっている。このため、灯籠を水溶性の材料で作製して海に流すことも行われているが、水に溶けた材料が新たな環境問題を引き起こす場合がある。その一方、従来材料で灯籠を作製して、下流で回収する場合もある。
【０００３】
他方、防水構造のＬＥＤを発光させるものとして、電池および電池を電源とするＬＥＤを透光性のケース内に収容して、水中でＬＥＤを発光させる小型電気発光体が知られている（例えば、特許文献１）。
【先行技術文献】
【特許文献】
【０００４】
【特許文献１】特開平１１−５６１８５号公報
【発明の概要】
【発明が解決しようとする課題】
【０００５】
ところで、従来の灯籠流しに使用する灯籠は元来海に流すものであるため、再利用することを考慮しないものであり、再利用可能で、灯籠流しとしての使用を含めた新たな水面のイルミネーションの実現に対する要望がある。
【０００６】
また、再利用できるものとして、ＬＥＤを防水構造にしたものが考えられるが、特許文献１では、小型電気発光体を水中に沈めてＬＥＤを発光させることにより集魚灯として使用するものであり、水面のイルミネーションとしての使用目的を有しない。
【０００７】
本発明は、簡単な構造で、ＬＥＤを発光させながら水に多数個浮かべて流すことにより新たな水面のイルミネーションとして再利用可能なＬＥＤ発光体およびその照明方法を提供することを目的としている。
【課題を解決するための手段】
【０００８】
前記目的を達成するために、本発明の一構成に係るＬＥＤ発光体は、透光性のある中空体内の下部にＬＥＤおよびＬＥＤを発光させる電気回路部を収納したＬＥＤ発光体であって、水に浮いて波に傾けられても揺動しながら起立状態に復帰する起き上がりこぼし型で、防水構造を有し、前記ＬＥＤを発光させるとき、水に浮いて波間に光が揺動する水面のイルミネーションとなるものである。
【０００９】
この構成によれば、防水構造を有しかつ簡単な構造のＬＥＤ発光体を水に多数個浮かべて流すことにより、ＬＥＤの発光によって水に浮いて波間に光が揺動する水面のイルミネーションとなるとともに、該ＬＥＤ発光体は回収することにより再利用可能となる。
【００１０】
好ましくは、前記中空体は上半体と下半体を嵌め込んで球状の形状を有しており、該上半体に単一の微小孔が設けられている。したがって、微小孔が嵌め込み時の空気抜き孔になるので、上半体と下半体の嵌め込みが容易となって組立性が向上するとともに、ＬＥＤ発光時に発生する熱の逃がし孔になる。
【００１１】
好ましくは、前記電気回路部は、ＬＥＤに電源を供給する電池と、ＬＥＤと電池間にスイッチ部とを有し、スイッチ部の一方の端子と他方の端子とをそれぞれ中空体の底部外方に露出させ、両端子と水との接触により通電されて、ＬＥＤを発光させる。したがって、ＬＥＤ発光体をより簡単な構造にすることができる。
【００１２】
好ましくは、前記電気回路部は、ＬＥＤに電源を供給する電池と、ＬＥＤと電池間にスイッチ部と、前記中空体の下部外面に設けられて周囲の明るさを検出するセンサとを有して、前記センサが周囲の暗さを検出したとき、前記スイッチ部の両端子が通電されて、ＬＥＤを発光させる。したがって、ＬＥＤ発光体をより簡単な構造にすることができる。
【００１３】
好ましくは、前記中空体の下部外面に配置させた太陽電池を有して、前記電気回路部は、前記太陽電池から供給された電源によりＬＥＤを発光させる。したがって、ＬＥＤ発光体をより簡単な構造にすることができるとともに、環境面からクリーンなエネルギを利用できる。
【００１４】
本発明の他の構成に係るＬＥＤ発光体の照明方法は、前記ＬＥＤ発光体を河川に多数個浮かべて流すことにより、河川の流れにのって多数のＬＥＤが発光して波間に光が揺動し、水面における天の川のイルミネーションを形成する。
【００１５】
この構成によれば、河川に多数個浮かべたＬＥＤ発光体が、河川の流れにのって各ＬＥＤが発光して波間に光が揺動し、水面における天の川のイルミネーションを形成するとともに、該ＬＥＤ発光体は回収することにより再利用可能となる。
【００１６】
好ましくは、前記多数のＬＥＤ発光体とともに、メッセージがそれぞれ記載された複数の表示物を有し、当該多数のＬＥＤの発光による反射またはそれ自身の発光によって光る浮遊体を河川に浮かべて流すものである。したがって、メッセージが記載された表示物も回収可能に河川に流すことができる。
【発明の効果】
【００１７】
本発明のＬＥＤ発光体は、防水構造を有しかつ簡単な構造のＬＥＤ発光体を水に多数個浮かべて流すことにより、ＬＥＤの発光によって水に浮いて波間に光が揺動する水面のイルミネーションとなるとともに、該ＬＥＤ発光体は回収することにより再利用可能となる。
【図面の簡単な説明】
【００１８】
【図１】本発明の一実施形態に係るＬＥＤ発光体を示す正面図である。
【図２】図１のＬＥＤ発光体を示す電気回路図である。
【図３】図１のＬＥＤ発光体を川に多数個浮かべて流すことによる水面における「天の川」のイルミネーションを形成する照明方法を示す図である。
【図４】（Ａ）はＬＥＤ発光体の変形例を示す正面図、（Ｂ）はその嵌め込み部を示す縦断面図である。
【発明を実施するための形態】
【００１９】
以下、本発明の実施形態を図面にしたがって説明する。図１は、本発明の一実施形態に係るＬＥＤ発光体１を示す正面図である。このＬＥＤ発光体１は、例えばプラスチック樹脂などで形成された透光性のある中空体７の上半体７ａと下半体７ｂを嵌め込み部１０で液密となるように嵌め込んだ、例えば直径約４〜１０ｃｍの球状の形状を有しており、嵌め込み部１０を含めて全体で防水構造になっている。
【００２０】
前記中空体７の上半体７ａには、その頂部近傍に単一の微小孔１１が設けられている。微小孔１１は例えば円形で直径約０．８〜１．８ｍｍが好ましく、１．０〜１．５ｍｍがより好ましい。この微小孔１１は単一であるので、水Ｗがこの孔から浸入するのが阻止されて、防水構造に影響を与えない。中空体７は上半体７ａと下半体７ｂとが例えばパッチン式で嵌め込んでなるものであり、微小孔１１が嵌め込み時の空気抜き孔になるので、組み立て時の嵌め込みが容易になる。これとともに、微小孔１１は、後述するＬＥＤ発光時に発生する熱の逃がし孔になる。
【００２１】
ＬＥＤ発光体１は、前記透光性のある中空体７内に、ＬＥＤ２およびＬＥＤ２を発光させる電気回路部３を収納し、電気回路部３を中空体７の下部に配置して、ＬＥＤ発光体１の重心が中空体７の中心よりも十分下方に位置するようにしている。これにより、ＬＥＤ発光体１を水Ｗに浮かべたとき、風等により生じる波に傾けられても、重心と浮力中心とのバランスによって、ＬＥＤ発光体１が揺動しながら起立状態に復帰する、いわゆる起き上がりこぼし型になっている。このＬＥＤ発光体１は、ＬＥＤ２を発光させるとき水Ｗに浮かんで波間に光が揺動して、例えば「灯籠流し」のような水面のイルミネーションとして使用される。ＬＥＤ２の発光色は、青、白、赤色などが使用されるが、特に暗い水面でイルミネーション効果を発揮するものとして青色が好ましく使用される。
【００２２】
図２は、ＬＥＤ発光体１の電気回路部３の回路図を示す。電気回路部３は、ＬＥＤ２に電源を供給するボタン電池のような電池５と、ＬＥＤ２と電池５間にスイッチ部６とを有する。スイッチ部６は、２つのトランジスタと中空体７の底部外方に露出させた一対の端子８、９とからなる。ＬＥＤ発光体１を水Ｗに浮かべることにより、底部の両端子８、９と水Ｗとの接触によって通電されて、ＬＥＤ２を発光させる。
【００２３】
ＬＥＤ発光体１は、前記「灯籠流し」としての使用だけでなく、図３の照明方法に示すように、上記ＬＥＤ発光体１を川に多数個、例えば数万個浮かべて流すことにより、川の流れにのりながらＬＥＤ２が発光して波間に光が揺動し、天空において多数の星がまたたく「天の川」に見立てて、川において多数のＬＥＤ発光体１がまたたいて形成される水面における「天の川」のイルミネーションとなる。これらは下流で回収されて、再利用される。ＬＥＤ発光体１が回収されて水から引き上げられることにより、両端子８、９の通電が阻止されてＬＥＤ２の発光が止まる。このＬＥＤ発光体１は球状で大きさもそれぞれ同一であるので、多数個の回収も容易となる。
【００２４】
また、多数のＬＥＤ発光体１とともに、メッセージがそれぞれ記載された複数の表示物を有し、当該多数のＬＥＤ２の発光による反射またはそれ自身の発光によって光る浮遊体１５を川に浮かべて流すことができる。この浮遊体１５は例えばドーム状や球状の大きな曲面体、または船形の形状を有し、１個でも複数個でもよい。前記表示物は例えば七夕における願い事が記載された短冊や葉書などで浮遊体１５に複数載せられるものであり、短冊や葉書が葦を原料として作られることにより、葦の使用のために葦が刈り取られることで水を浄化することから、環境上の効果も有する。またＬＥＤ発光体１や浮遊体１５自身がもつＬＥＤによる発光によって表示物のメッセージを照らすようにしてもよい。そして、この浮遊体１５も多数のＬＥＤ発光体１とともに回収される。したがって、メッセージが記載された表示物も回収可能に川に流すことができる。なお、表示物のメッセージを電子データ化して浮遊体１５上に設けたディスプレイで表示するようにしてもよい。
【００２５】
このように、本発明では、防水構造を有しかつ簡単な構造のＬＥＤ発光体１を水Ｗに多数個浮かべて流すことにより、ＬＥＤ２の発光によって水Ｗに浮いて波間に光が揺動する水面のイルミネーションとなるとともに、該ＬＥＤ発光体１は回収することにより再利用可能となる。
【００２６】
図４は第１変形例に係るＬＥＤ発光体１Ａを示す。図４（Ａ）のように、ＬＥＤ発光体１Ａは、半球状の上半体７ａと半球状の下部分が平面状に形成された下半体７ｂとからなるドーム型形状の中空体７を有する。下半体７ｂ内の平面状の底部に、一対の鉄心１２が離間して直立して形成されており、その下端部が中空体７の外方に露出させた一対の端子８、９となる。一対の鉄心１２の上端部に水平に基板Ｋが架け渡され、基板Ｋの上面にＬＥＤ２と電気回路部３が配置されて、基板Ｋの下方に電池５が配置されている。図１と同様に、ＬＥＤ発光体１Ａは、その重心が中空体７の中心よりも十分下方に位置しているので、起き上がりこぼし型になっている。
【００２７】
ＬＥＤ発光体１Ａの嵌め込み部１０は、図４（Ｂ）の縦断面図に示すように、上半体７ａ下端の薄肉部７ａａの外壁および下半体７ｂ上端の薄肉部７ｂｂの内壁がそれぞれ凹凸形状を有して、これらが互いに嵌め込まれるとともに、上半体７ａの薄肉部７ａａの基端と下半体７ｂの薄肉部７ｂｂの先端との間に設けられた隙間Ｓに円環状の防水シール体１３が嵌め込まれてなる、液密な防水構造を備えている。その他の構成は図１と同様である。この場合、ＬＥＤ発光体１Ａは、底面が平面状のドーム型形状を有するので、水Ｗに安定して浮かせることができ、また保管時にも底面を接地させることにより安定して保管することが可能となる。
【００２８】
次に、本ＬＥＤ発光体１の第２変形例について説明する。この例では、図２の電気回路部２は、ＬＥＤ２に電源を供給する電池５と、ＬＥＤ２と電池５間にスイッチ部６と、前記中空体７の下部外面に設けられて周囲の明るさを検出するセンサ（ｃｄｓセル）とを有して、このセンサが周囲の暗さを検出するとき、前記スイッチ部６が通電されて、ＬＥＤ２を発光させる。その他の構成は図１と同様である。この場合、ＬＥＤ発光体１をより簡単な構造にすることができる。
【００２９】
次に第３変形例について説明する。この例では、図１の中空体７の下部外面に設けられた太陽電池を有して、図２の電気回路部３は、この太陽電池から供給された電源によりＬＥＤ２を発光させる。その他の構成は図１と同様である。この場合、ＬＥＤ発光体１をより簡単な構造にすることができるとともに、環境面からクリーンなエネルギを利用できる。
【００３０】
上記の各実施例では、中空体７は球状もしくはドーム状の形状を有しているが、楕円形や星形などの形状を有してもよい。
【００３１】
なお、「天の川」のイルミネーションにおいて、浮遊体１５を省略してもよい。また、「天の川」のイルミネーションのほかに、特定の文字や星座などをかたどった形状をもつ枠体を川に浮かぶように形成して、複数のＬＥＤ発光体を枠体内に入れて川に流し、各ＬＥＤを発光させて文字や星座などのイルミネーションを形成するようにしてもよい。
【符号の説明】
【００３２】
１：ＬＥＤ発光体
２：ＬＥＤ
３：電気回路部
５：電池
６：スイッチ部
７：中空体
７ａ：上半体
７ｂ：下半体
８、９：端子
１０：嵌め込み部
１１：微小孔
１５：浮遊体
Ｗ：水
【図１】
2011086614.tif 000003
【図２】
2011086614.tif 000004
【図３】
2011086614.tif 000005
【図４】
2011086614.tif 000006
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
透光性のある中空体内の下部にＬＥＤおよびＬＥＤを発光させる電気回路部を収納したＬＥＤ発光体であって、
水に浮いて波に傾けられても揺動しながら起立状態に復帰する起き上がりこぼし型で、防水構造を有し、
前記中空体は上半体と下半体を嵌め込んで球状の形状を有して、該上半体に単一の微小孔が設けられており、
前記ＬＥＤを発光させるとき、水に浮いて波間に光が揺動する水面のイルミネーションとなる、ＬＥＤ発光体。
【請求項２】
請求項１において、
前記電気回路部は、ＬＥＤに電源を供給する電池と、ＬＥＤと電池間にスイッチ部とを有し、スイッチ部の一方の端子と他方の端子とをそれぞれ中空体の底部外方に露出させ、両端子と水との接触により通電されて、ＬＥＤを発光させる、ＬＥＤ発光体。
【請求項３】
請求項１において、
前記電気回路部は、ＬＥＤに電源を供給する電池と、ＬＥＤと電池間にスイッチ部と、前記中空体の下部外面に設けられて周囲の明るさを検出するセンサとを有して、前記センサが周囲の暗さを検出したとき、前記スイッチ部の両端子が通電されて、ＬＥＤを発光させる、ＬＥＤ発光体。
【請求項４】
請求項１において、
前記中空体の下部外面に配置させた太陽電池を有して、前記電気回路部は、前記太陽電池から供給された電源によりＬＥＤを発光させる、ＬＥＤ発光体。
【請求項５】
請求項１から４のいずれか１項のＬＥＤ発光体を河川に多数個浮かべて流すことにより、河川の流れにのって多数のＬＥＤが発光して波間に光が揺動し、水面における天の川のイルミネーションを形成する、ＬＥＤ発光体の照明方法。
【請求項６】
請求項５において、前記多数のＬＥＤ発光体とともに、メッセージがそれぞれ記載された複数の表示物を有し、当該多数のＬＥＤ２の発光による反射またはそれ自身の発光によって光る浮遊体を河川に浮かべて流す、ＬＥＤ発光体の照明方法。
【手続補正２】
【補正対象書類名】明細書
【補正対象項目名】０００８
【補正方法】変更
【補正の内容】
【０００８】
前記目的を達成するために、本発明の一構成に係るＬＥＤ発光体は、透光性のある中空体内の下部にＬＥＤおよびＬＥＤを発光させる電気回路部を収納したＬＥＤ発光体であって、水に浮いて波に傾けられても揺動しながら起立状態に復帰する起き上がりこぼし型で、防水構造を有し、前記中空体は上半体と下半体を嵌め込んで球状の形状を有して、該上半体に単一の微小孔が設けられており、前記ＬＥＤを発光させるとき、水に浮いて波間に光が揺動する水面のイルミネーションとなるものである。
【手続補正３】
【補正対象書類名】明細書
【補正対象項目名】０００９
【補正方法】変更
【補正の内容】
【０００９】
この構成によれば、防水構造を有しかつ簡単な構造のＬＥＤ発光体を水に多数個浮かべて流すことにより、ＬＥＤの発光によって水に浮いて波間に光が揺動する水面のイルミネーションとなるとともに、該ＬＥＤ発光体は回収することにより再利用可能となる。しかも、微小孔が嵌め込み時の空気抜き孔になるので、上半体と下半体の嵌め込みが容易となって組立性が向上するとともに、ＬＥＤ発光時に発生する熱の逃がし孔になる。
【手続補正４】
【補正対象書類名】明細書
【補正対象項目名】００１０
【補正方法】削除
【補正の内容】